(57)【特許請求の範囲】
【請求項１】
第１の筐体と、
第２の筐体と、
前記第１の筐体と前記第２の筐体とを開閉可能に連結するヒンジ部と、
前記第１の筐体表面に備えられ、操作キーを有する入力手段と、
前記第２の筐体の閉状態における内側表面である第１の面に備えられ、開状態においては前記入力手段の備えられた面の向く第１の方向にて露出して表示を行い、閉状態においては互いの筐体の内側に遮蔽される第１の表示手段と、
前記ヒンジ部の表面に備えられ、開状態においても閉状態においても、前記第２の筐体が有する前記第１の面の反対側の面である第２の面側に露出して表示を行い、開状態においては前記第１の方向と反対方向の第２の方向を向き、閉状態においては前記第１の方向を向く第２の表示手段と、
を備えることを特徴とする携帯無線機。
【請求項２】
前記第２の表示手段を保護する保護部材は、レンズである
ことを特徴とする請求項１記載の携帯無線機。
【請求項３】
前記レンズは、前記ヒンジ部の外側表面の形状に連続する形状を有する
ことを特徴とする請求項２に記載の携帯無線機。
【発明の詳細な説明】
【０００１】
【発明の属する技術分野】
この発明は、各種通信手段を用いた携帯無線機に係り、特に、折り畳み式の携帯無線機に関するものである。
【０００２】
【従来の技術】
近年、データの高速伝送が可能なＰＤＣ（Personal Digital Cellular）、ＣＤＭＡ（Code Division Multiple Access）、ＧＳＭ（Global System  for Mobile Communication）やＰＨＳ（Personal Handy-phone System）等の通信手段を用いた携帯無線機が広く用いられ、さらに、次世代の技術として開発されているＷＣＤＭＡ（Wide band CDMA）、ＣＤＭＡ２０００等の通信手段を用いたものが開発されつつある。この種の携帯無線機には、携帯性を高めるために、折り畳み構造のものが知られているが、このように折り畳み式の携帯無線機では、折り畳んだ際に、表示部が外部から見えなくなってしまっていた。
【０００３】
このため、折り畳んだ状態でも、表示機能が損なわれない構造の携帯無線機として、特開平６−３７６９７号公報に示されているように、折り畳んだときにも外部から見ることができる第２の表示部を設けたものがある。
【０００４】
【発明が解決しようとする課題】
しかしながら、この構造の携帯無線機にあっては、第２の表示部を設けることにより部品点数が多くなり、このため、筐体の大型化を招き、携帯性を損ねてしまうという問題があった。この発明は、上記事情に鑑みてなされたもので、携帯性を損ねることなく、折り畳み時にも表示を確認することができる小型化が可能な携帯無線機を提供することを目的としている。
【０００５】
【課題を解決するための手段】
上記目的を達成する為に、第１の筐体と、第２の筐体と、前記第１の筐体と前記第２の筐体とを開閉可能に連結するヒンジ部と、前記第１の筐体表面に備えられ、操作キーを有する入力手段と、前記第２の筐体の閉状態における内側表面である第１の面に備えられ、開状態においては前記入力手段の備えられた面の向く第１の方向にて露出して表示を行い、閉状態においては互いの筐体の内側に遮蔽される第１の表示手段と、前記ヒンジ部の表面に備えられ、開状態においても閉状態においても、前記第２の筐体が有する前記第１の面の反対側の面である第２の面側に露出して表示を行い、開状態においては前記第１の方向と反対方向の第２の方向を向き、閉状態においては前記第１の方向を向く第２の表示手段と、を備えることを特徴としている。
このように、ヒンジ部に第２の表示手段を設けているために、小型・薄型化を図ることができ、表示機能が充実しさらに携帯性が向上された携帯無線機とすることができる。
【０００６】
また、請求項２に記載の携帯無線機は、前記第２の表示手段を保護する保護部材が、レンズであることを特徴とします。つまり、第２の表示手段を保護するための保護部材にレンズを設けることにより表示文字が拡大されて表示されるために老眼の人であっても表示文字を明瞭に判読することができる。
また、請求項３に記載の携帯無線機は、前記レンズが、前記ヒンジ部の外側表面の形状に連続する形状を有することを特徴とします。
【０００７】
【発明の実施の形態】
以下、本発明の実施の形態の携帯無線機を図面を参照して説明する。
【０００８】
図１及び図２において、符号１は、携帯無線機である。この携帯無線機１は、第１の筐体２と、この第１の筐体２の上端部に、ヒンジ３によって回動可能に連結された第２の筐体４とを有しており、ヒンジ３による連結箇所にて第２の筐体４を回動させることにより、第２の筐体４が第１の筐体２に対して開閉されるようになっている。
【０００９】
つまり、第２の筐体４が閉じた状態（図２の状態）から第２の筐体４を回動させることにより、第２の筐体４が開いた状態（図１の状態）とされ、これとは逆に、第２の筐体４が開いた状態から第２の筐体４を逆方向へ回動させることにより、第２の筐体４が閉じた状態とされるようになっている。
【００１０】
第２の筐体４には、閉じることにより第１の筐体２と合わされる側である正面側に、メイン表示部（第１の表示手段）１１が設けられ、また、ヒンジ３に、サブ表示部（第２の表示手段）１２が設けられている。第２の筐体４には、その正面側における上端部にスピーカ（音声出力手段）１３が設けられている。
【００１１】
第１の筐体２には、第２の筐体４によって閉ざされる正面側に操作用の複数の操作キー（入力手段）１４が配設されており、これら操作キー１４から各種の入力を行うことができるようになっている。また、第１の筐体２には、その正面側における下端部にマイク（音声入力手段）１５が設けられており、さらに、上端には、その背面側に、伸縮可能なアンテナ１６が設けられ、このアンテナを介して音声データ、文字データ、画像データ等の各種通信データの通信が行われるようになっている。そして、この携帯無線機１によれば、第２の筐体４を開いた状態にて、そのマイク１５にて音声入力が行われ、スピーカ１３から相手方の音声、着信音、アラーム等が発せられるようになっている。
【００１２】
次に、上記携帯無線機１の機能について図３に示す機能ブロック図を参照して説明する。図において、符号２１は、表示デバイスであり、この表示デバイス２１は第２の筐体４内に配設されている。また、この表示デバイス２１には、その一端に表示ドライバ２４が設けられており、この表示ドライバ２４によって表示デバイス２１に表示されるようになっている。この表示ドライバ２４は、第１の筐体２に設けられた制御部２５に接続されており、この制御部２５から制御信号が出力されるようになっている。また、無線部（通信手段）２６は、アンテナ１６を介して相手方端末との間にて、無線通信回線を用いて音声データ、文字データ、画像データ等の各種通信データの送受信を行うものである。
【００１３】
そして、この無線部２６にて受信された通信データは、図示しない音声処理部にて音声データが取り出されてスピーカ１３から音声を出力させるようになっている。また、マイク１５より入力された音声は、音声信号として音声処理部に入力され、この音声処理部から音声データに変換されて通信データとして無線部２６へ送信され、無線部２６からアンテナ１６を介して相手方端末へ送信されるようになっている。なお、符号２７は、この携帯無線機１の全ての電力をまかなうバッテリーである。
【００１４】
そして、上記の携帯無線機１では、制御部２５からの制御信号により表示ドライバ２４が駆動されて、表示デバイス２１に各種文字情報や画像情報が表示される。第２の筐体４を開いた状態では、メイン表示部１１及びサブ表示部１２にて、その表示内容を確認することができ、第２の筐体４を閉じた状態では、サブ表示部１２にて、その表示内容を確認することができる。
【００１５】
第２の筐体４の表面に形成されたメイン表示部用窓１１ａ及び裏面に形成されたサブ表示部用窓１２ａから、第２の筐体４内に配設した表示デバイス２１の表示内容を容易に確認することができる。しかも、サブ表示部用窓１２ａがレンズによって構成されているために表示文字が拡大されて表示されるために老眼の人であっても表示文字を明瞭に判読することができる。
【００１６】
【発明の効果】
以上、説明したように、本発明の携帯無線機によれば、下記の効果を得ることができる。請求項１記載の携帯無線機によればヒンジ内部の空洞を利用して第2の表示手段が設けられている構成としたことにより小型・薄型化を図ることができ、表示機能が充実しさらに携帯性が向上された携帯無線機とすることができる。
【００１７】
請求項２記載の携帯無線機によれば、第2の表示手段を保護するための保護部材にレンズを設けたことにより表示文字が拡大されて表示されるために老眼の人であっても表示文字を明瞭に判読することができる。
【図面の簡単な説明】
【図１】  本発明の実施の形態の携帯無線機の構成及び構造を説明する携帯無線機の斜視図である。
【図２】  本発明の実施の形態の携帯無線機の構成及び構造を説明する折り畳んだ状態の携帯無線機の斜視図である。
【図３】  本発明の実施の形態の携帯無線機の機能を説明する機能ブロック図である。
【符号の説明】
１  携帯無線機
２  第１の筐体
４  第２の筐体
１１  メイン表示部（第１の表示手段）
１１ａ  メイン表示部用窓（第１の表示手段用窓）
１２  サブ表示部（第２の表示手段）
１２ａ  サブ表示部用窓（第２の表示手段用窓）
１３  スピーカ（音声出力手段）
１４  操作キー（入力手段）
１５  マイク（音声入力手段）
２１  表示デバイス
２５  無線部（通信手段）
【図１】
0004331861.tif 000002
【図２】
0004331861.tif 000003
【図３】
0004331861.tif 000004